(57)【特許請求の範囲】
【請求項１】
板厚の薄いカードと板厚の厚いカードとを受容する少なくとも２個のカード受容スロットを有するカード用コネクタにおいて、
前記板厚の厚いカードを受容するカード受容スロットのカード案内部に、前記板厚の厚いカード用のカム面と、前記板厚の薄いカードを受容可能な溝と、該溝の奥側に形成された前記板厚の薄いカード用の挿入阻止面とを一体的に有する板厚薄カード挿入防止装置を回動可能に軸支すると共に、前記板厚の厚いカードを受容する前記カード受容スロットへ前記板厚薄カード挿入防止装置をばね付勢したことを特徴とするカード用コネクタ。
【請求項２】
前記板厚薄カード挿入防止装置の溝に、前記板厚の薄いカードの受容を案内する案内傾斜面を設けたことを特徴とする請求項１記載のカード用コネクタ。
【発明の詳細な説明】
【０００１】
【発明の属する技術分野】
本発明は、スマートカードと呼ばれるＩＳＯ規格のＩＣカード等の板厚の薄いカードと、ＰＣＭＣＩＡ規格のＩＣカード等の板厚の厚いカードとを受容する少なくとも２個のカード受容スロットを有するカード用コネクタに関する。
【０００２】
【従来の技術】
近年、コンピュータ技術の進歩によりパーソナルコンピュータが一般的に急速に広まっている。特に、ノート型パーソナルコンピュータでは、小型で高性能なものが開発され、スマートカードと呼ばれるＩＳＯ規格のＩＣカード（以下、単にスマートカードという）と、ＰＣＭＣＩＡ規格のＩＣカード（以下、単にＩＣカードという）とを受容する２個のカード受容スロットを有するカード用コネクタが設置されたものも開発されている。
【０００３】
ここで、スマートカードは、図６に示すように、カード１００の一主表面に複数の端子部１０１を備え、その寸法は、奥行きが８５．６ｍｍ、幅が５４ｍｍ、板厚が０．６８〜０．８４ｍｍとなっている。
一方、ＩＣカードは、半導体メモリカードとして使用されるタイプＩと、モデムカードとして使用されるタイプＩＩと、ハードディスクカードとして使用されるタイプＩＩＩの３種類がある。このうち、タイプＩのＩＣカードは、図７に示すように、カード１１０の一端部にコネクタ部１１１を備え、その寸法は、奥行きが８５．６ｍｍ、幅が５４ｍｍ、板厚が３．３ｍｍとなっている。タイプＩＩ及びタイプＩＩＩのＩＣカードは、図示はしないが、それらの奥行き及び幅はタイプＩのＩＣカードと同様に８５．６ｍｍ、５４ｍｍであるが、板厚が異なり、それぞれ５ｍｍ、１０．５ｍｍとなっている。
【０００４】
スマートカード１００の寸法とＩＣカードの寸法とを比較すると、奥行き及び幅については同一であるが、それらの板厚のみが異なり、スマートカード１００は薄く、ＰＣＭＣＩＡ規格のＩＣカードは厚くなっている。
このように、スマートカード１００の板厚は薄く、ＰＣＭＣＩＡ規格のＩＣカードの板厚は厚いため、前述のカード用コネクタにおいて、スマートカードを受容するカード受容スロットの厚み方向の高さは小さく、ＩＣカードを受容するカード受容スロットの厚み方向の高さは大きくなっている。そして、スマートカードは高さの小さなカード受容スロットに挿入され、ＩＣカードは高さの大きなカード受容スロットに挿入される。
【０００５】
このような異なる厚みの２種のカードを受容するカード用コネクタにおいては、厚みの厚いカードは高さの小さなカード用のカード受容スロットに挿入されることはないが、反対に、厚みの薄いカードは高さの大きなカード用のカード受容スロットに挿入されることがある。
厚みの薄いカードが高さの大きなカード用のカード受容スロットに挿入されると、例えば、スマートカード１００がＰＣＭＣＩＡ規格のＩＣカード１１０用のカード受容スロットに挿入されると、ＩＣカード１１０用のカード受容スロットに対応した複数のピンコンタクト、ハウジングの一部等がスマートカード１００の端部によって曲げられたりして破損するおそれがあった。また、スマートカード１００が前記カード受容スロットに挿入されると、ピンコンタクトが破損しなくても、最終ユーザーは前記スマートカード１００が適切なカード受容スロットに挿入されたものと勘違いし、ノート型パソコンの電源を入れた際に正常に作動しないことがあった。
【０００６】
このような、厚みの薄いカードの、高さの大きなカード用のカード受容スロットへの挿入を防止するＩＣカードソケットとして、例えば、図８に示すものが知られている（特開平１１−３９４３５号公報参照）。
このＩＣカードソケット２００は、ＩＣカード１００に電気的に接続される複数のピンコンタクト２０１と、ピンコンタクト２０１へのＩＣカード１００の挿入を案内する１対のガイドレール２０２とを備えている。そして、一方のガイドレール２０２には、回動軸２０６によって回動可能に支持された上下一組の厚み検出レバー２０３が設けられている。各厚み検出レバー２０３のカード挿入口側端部には、ガイドレール２０２に挿入された挿入物の厚みを検出する挿入物挟込部２０５が配置され、各厚み検出レバー２０３のピンコンタクト側端部には、シャッター部２０４が配置されている。
【０００７】
このＩＣカードソケット２００に、板厚の厚いＩＣカード１１０がガイドレール２０２に沿って挿入されると、図８（Ａ）に示すように、挿入物挟込部２０５が開きこれに伴って上下一組の厚み検出レバー２０３が回動軸２０６を中心に開く。そして、厚み検出レバー２０３が開くと同時に、シャッター部２０４が開き、ＩＣカード１１０がピンコンタクト２０１に接続される。
一方、板厚の薄いスマートカード１００がガイドレール２０２に沿って挿入される場合、図８（Ｂ）に示すように、スマートカード１００の板厚はＩＣカード１１０の板厚よりも薄いために、上下一組の厚み検出レバー２０３が開かない。このため、シャッター部２０４は閉じたままとなり、スマートカード１００の挿入はシャッター部２０４により阻止されるのである。
【０００８】
また、不適合ＩＣカートリッジの誤挿入防止手段を有するＩＣカートリッジリーダーとして、例えば、図９に示すものが知られている（特開平２−３５５８４号公報参照）。
このＩＣカートリッジリーダー３００は、ＩＣカートリッジ挿入口３０２が開設されたシャーシ３０１を備え、ＩＣカートリッジ挿入口３０２の内側近傍に、シャッタ本体３０４とこのシャッタ本体３０４を開閉可能に支持するばね部材３０５とから成るシャッタ手段３０３を設けている。そして、シャッタ本体３０４には誤挿入防止突起３０６が形成され、ＩＣカートリッジ３１０の端部にはこの誤挿入防止突起３０６と対応する位置に切欠３１１が形成されている。
【０００９】
そして、図９（Ａ）に示すように、ＩＣカートリッジ挿入口３０２より適合するＩＣカートリッジ３１０を正規の向きに挿入すると、誤挿入防止突起３０６が切欠３１１内に挿通され、ＩＣカートリッジ３１０の先端がシャッタ本体３０４に当接する。シャッタ本体３０４には、斜面３０４ａが形成されているので、その斜面３０４ａによってＩＣカートリッジ３１０の挿入力の下向き分力が発生し、シャッタ本体３０４がばね部材３０５の弾性に抗して下向きに付勢される。これにより、ＩＣカートリッジ３１０の挿入が可能になる。
【００１０】
一方、ＩＣカートリッジ挿入口３０２より不適合のＩＣカートリッジ、例えば切欠３１１を有しないＩＣカートリッジ３１０や切欠３１１の位置が異なるＩＣカートリッジ３１０が挿入されたような場合には、図９（Ｂ）に示すように、ＩＣカートリッジ３１０の先端が誤挿入防止突起３０６に当接する。誤挿入防止突起３０６は、ＩＣカートリッジ３１０の挿入方向に対して垂直に形成されているため、シャッタ本体３０４に下向き分力が発生せず、シャッタ本体３０４は開放されない。これにより、不適合ＩＣカートリッジ３１０の挿入が阻止されるのである。
【００１１】
【発明が解決しようとする課題】
しかしながら、図８に示したＩＣカードソケット２００及び図９に示したＩＣカートリッジリーダー３００にあっては、以下の問題点があった。
即ち、図８に示したＩＣカードソケット２００の場合、厚みの薄いカードの挿入防止機構として、ガイドレール２０２に、上下一組の厚み検出レバー２０３を設け、各厚み検出レバー２０３のカード挿入口側端部に、ガイドレール２０２に挿入された挿入物の厚みを検出する挿入物挟込部２０５を配置し、ピンコンタクト側端部に、シャッター部２０４を配置している。このような機構は、ＩＣカードを受容するカード受容スロットが一つの場合には有効であるが、板厚の薄いカードと板厚の厚いカードとを受容する少なくとも２個のカード受容スロットが上下に隣接して設けられたカード用コネクタには適用することができない。また、厚みの薄いカードの挿入を防止する機構としては、その構成が複雑であり、ＩＣカードソケット２００の製造コストが高価なものになるばかりでなく、嵩高になってしまうという問題があった。
【００１２】
また、図９に示したＩＣカートリッジリーダー３００の場合、端部に切欠３１１を形成した特殊なＩＣカートリッジ３１０とする必要があり、汎用カードに適用できないという問題があった。
従って、本発明は上述の問題点に鑑みてなされたものであり、その目的は、板厚の薄いカードと板厚の厚いカードとを受容する少なくとも２個のカード受容スロットを有するカード用コネクタにおいて、簡単な構成で嵩高にならず、板厚の厚いカードを受容するカード受容スロットの奥に、板厚の薄いカードが挿入されるのを確実に防止することができるカード用コネクタを提供することにある。
【００１３】
【課題を解決するための手段】
上記問題を解決するため、本発明のうち請求項１に係るカード用コネクタは、板厚の薄いカードと板厚の厚いカードとを受容する少なくとも２個のカード受容スロットを有するカード用コネクタにおいて、前記板厚の厚いカードを受容するカード受容スロットのカード案内部に、前記板厚の厚いカード用のカム面と、前記板厚の薄いカードを受容可能な溝と、該溝の奥側に形成された前記板厚の薄いカード用の挿入阻止面とを一体的に有する板厚薄カード挿入防止装置を回動可能に軸支すると共に、前記板厚の厚いカードを受容する前記カード受容スロットへ前記板厚薄カード挿入防止装置をばね付勢したことを特徴としている。
【００１４】
また、本発明のうち請求項２に係るカード用コネクタは、請求項１記載の発明において、前記板厚薄カード挿入防止装置の溝に、前記板厚の薄いカードの受容を案内する案内傾斜面を設けたことを特徴としている。
【００１５】
【発明の実施の形態】
次に本発明の実施形態を図面を参照して説明する。図１は、本発明に係るカード用コネクタの実施形態の平面図である。図２は、図１に示すカード用コネクタの正面図である。図３は、図１に示すカード用コネクタを示し、（Ａ）は右側面図、（Ｂ）は左側面図である。
図１乃至図３において、カード用コネクタ１は、ＰＣＭＣＩＡ規格の板厚の厚いＩＣカードＣ１を受容するＩＣカードコネクタ部１０と、ＩＳＯ規格の板厚の薄いスマートカードＣ２を受容するスマートカードコネクタ部２０とを備えている。
【００１６】
ここで、ＩＣカードコネクタ部１０には、受容されたＩＣカードＣ１のコネクタ部（図７に示すコネクタ部１１０）に接続する複数のピンコンタクト１１がＩＣカードコネクタ部１０の長手方向（図１及び図２における左右方向）に沿って上下２列に設けられている。ＩＣカードコネクタ部１０の長手方向両端部には、カードコネクタ部１０を回路基板Ｂに固定するための取付ねじ１７が挿通する１対の貫通孔１５，１６が設けられている。
【００１７】
また、スマートカードコネクタ部２０には、受容されたスマートカードＣ２の下面に形成された端子部（図６に示す端子部１０１）が接触する複数対の板ばねコンタクト２１が設けられている。
そして、ＩＣカードコネクタ部１０の長手方向両端部には、該長手方向両端部から延びる１対のカードガイド用アーム部１２，１３が設けられている。これらカードガイド用アーム部１２，１３のそれぞれは、図２に最もよく示すように、断面略コ字形に形成され、カードガイド用アーム部１２，１３間でＩＣカードＣ１を受容するカード受容スロット１４を形成している。
【００１８】
また、カードガイド用アーム部１２，１３の下側のカード挿入奥側（図１における上側）に、前記スマートカードコネクタ部２０が設けられている。一方、カードガイド用アーム部１２，１３のそれぞれの下側のカード挿入側には、スマートカードＣ２の挿入を案内する１対のガイドレール２２，２３が設けられている。カードガイド用アーム部１２，１３とガイドレール２２，２３との間には、両アーム部１２，１３間を橋渡す金属板２５が設けられ、金属板２５の長手方向両端に形成された爪（図示せず）によりカードガイド用アーム部１２，１３とガイドレール２２，２３とが結合されている。カードガイド用アーム部１２，１３には、１対のガイドレール２２，２３を回路基板Ｂに固定するための取付ねじ２８が螺合するねじ孔２６ａ，２７ａを有するブラケット２６，２７が金属板２５と接触した状態で取り付けられている。そして、１対のガイドレール２２，２３間でスマートカードＣ２を受容するカード受容スロット２４を形成する。
【００１９】
また、一方のガイド用アーム部１２の外壁面には、ＩＣカードコネクタ部１０に挿入されたＩＣカードＣ１を排出するためのイジェクト機構３０が設けられている。このイジェクト機構３０は、ガイド用アーム部１２の外壁面に沿ってカード挿入及び排出方向に移動可能なプッシュバー３１と、プッシュバー３１のカード挿入端側に取り付けられた押圧ボタン３２と、プッシュバー３１のカード挿入端と反対側端に設けられ、一端がプッシュバー３１先端に押圧されることにより他端がＩＣカードＣ１を排出するイジェクトバー３３とを具備している。さらに、他方のガイド用アーム部１３の外壁面には、スマートカードコネクタ部２０に挿入されたスマートカードＣ２を排出するためのイジェクト機構４０が設けられている。このイジェクト機構４０は、ガイド用アーム部１３の外壁面に沿ってカード挿入及び排出方向に移動可能なプッシュバー４１と、プッシュバー４１のカード挿入端側に取り付けられた押圧ボタン４２と、プッシュバー４１のカード挿入端と反対側端に設けられ、一端がプッシュバー４１先端に押圧されることにより他端がスマートカードＣ２を排出するイジェクトバー４３とを具備している。
【００２０】
また、他方のガイド用アーム部１３のカード挿入方向略中央部であって、ＩＣカードＣ１を受容するカード受容スロット１４のカード案内部１４ａには、板厚の薄いスマートカードＣ２の挿入を防止するための板厚薄カード挿入防止装置５０が回動可能に軸支されている。
この板厚薄カード挿入防止装置５０について、図４及び図５を参照して詳細に説明する。図４はカード挿入防止装置本体を示し、（Ａ）は平面図、（Ｂ）は正面図、（Ｃ）は左側面図である。図５は板厚薄カード挿入防止装置の作動状態を説明するもので、（Ａ）は板厚の厚いＩＣカードＣ１を挿入したときの板厚薄カード挿入防止装置の作動状態を示す一部分を断面した平面図、（Ｂ）は板厚の薄いスマートカードを挿入したときの板厚薄カード挿入防止装置の作動状態を示す一部分を断面した平面図である。
【００２１】
図５に示すように、板厚薄カード挿入防止装置５０は、カード挿入防止装置本体５１と、このカード挿入防止装置本体５１を回動可能に軸支する回動軸５６と、回動軸５６の周囲に巻回されてカード挿入防止装置本体５１を内側（図５（Ａ）、（Ｂ）における矢印側）に回動させるように付勢するトーションばね５７と、カード挿入防止装置本体５１の回動範囲を規制するストッパ５８とから構成されている。カード挿入防止装置５１の回動方向は、挿入されるカードの主面に沿う方向である。
【００２２】
ここで、カード挿入防止装置本体５１は、図４に示すように、上下方向中央部において内側から外側にかけて貫通する溝５２を有する板部材で構成され、樹脂材を成形することによって形成される。溝５２は、板厚の薄いスマートカードＣ２のみを受容可能な上下方向高さを有する。そして、板部材の内側面を板厚の厚いＩＣカードＣ１用のカム面５３とし、板部材の外側面５９をカム面５３と略平行な面に形成している。また、溝５２には、板厚の薄いスマートカードＣ２の受容を案内する案内傾斜面５４が形成されている。さらに、カード挿入防止装置本体５１には、回動軸５６が挿通する軸用孔５５が上下方向に貫通して設けられている。
【００２３】
次に、板厚薄カード挿入防止装置５０の作用について図１及び図５を参照して説明する。
先ず、カード用コネクタ１が回路基板Ｂ上に実装され、いかなるカードも受容されていないときには、図１に示すようにカード挿入防止装置本体５１は内側に回動し、カム面５３が挿入方向に対して傾斜するとともに溝５２の奥側端面５２ａが挿入方向と略直交した状態を維持している。この際、カード挿入防止装置本体５１はトーションばね５７により付勢されて内側に回動されているが、カム面５３の回動軸５６側端部がストッパ５８に当接し、その回動範囲が規制されている。なお、奥側端面５２ａはスマートカードＣ２の挿入を阻止するものであるから、図５（Ｂ）において挿入方向と直交する代わりに右上がりの面であってもよい。
【００２４】
この状態で、カードガイド用アーム部１２，１３間のカード受容スロット１４に、板厚の厚いＩＣカードＣ１を挿入すると、図５（Ａ）に示すように、ＩＣカードＣ１の先端がカード挿入防止装置本体５１のカム面５３に当接し、挿入が進行するにつれてカード挿入防止装置本体５１は外側に回動する。このとき、トーションばね５７のばね力によりＩＣカードＣ１の側面とカム面５３との当接状態は維持される。そして、カード挿入防止装置本体５１の外側面５９はカム面５３と略平行な面に形成されていることから、カード挿入防止装置本体５１が外側に回動した状態において、ガイド用アーム部１３からのカード挿入防止装置本体５１の突出量を小さくでき、ガイド用アーム部１３の外壁面に設けられたプッシュバー４１との衝突を回避することができる。
【００２５】
そして、さらにＩＣカードＣ１を挿入すると、ＩＣカードＣ１がＩＣカードコネクタ部１０に嵌合し、ＩＣカードＣ１のコネクタ部とＩＣカードコネクタ部１０のピンコンタクト１１とが電気的に接続される。
一方、カード用コネクタ１を回路基板Ｂ上に実装した状態で、カードガイド用アーム部１２，１３間のカード受容スロット１４に、板厚の薄いスマートカードＣ２を挿入すると、図５（Ｂ）に示すように、スマートカードＣ２の先端部がカード挿入防止装置本体５１の溝５２に受容され、その先端面が溝５２の奥側端面５２ａに当接する。このとき、スマートカードＣ２の挿入がカード受容スロット１４内で上下方向に安定しないでなされたとしても、スマートカードＣ２の先端部は案内傾斜面５４に沿って案内されて溝５２内に確実に導かれる。そして、スマートカードＣ２の先端面が溝５２の奥側端面５２ａに当接することにより、カード挿入防止装置本体５１によりスマートカードＣ２の挿入が阻止される。従って、板厚の厚いＩＣカードＣ１を受容するカード受容スロット１４の奥に、板厚の薄いスマートカードカードＣ２が挿入されるのを確実に防止することができる。ここで、板厚の厚いＩＣカードＣ１の挿入を許容するとともに板厚の薄いスマートカードＣ２の挿入を阻止する板厚薄カード挿入防止装置５０を、カード挿入防止装置本体５１と、回動軸５６と、回動軸５６の周囲に巻回されたトーションばね５７と、カード挿入防止装置本体５１の回動範囲を規制するストッパ５８とで構成した。このため、厚みの薄いカードの挿入を防止する機構を低背の簡単な構成とすることができ、カード用コネクタ１を安価に製造することができる。また、ＩＣカードＣ１やスマートカードＣ２に切欠等を形成する必要はなく、汎用カードに適用することができる。
【００２６】
なお、カード用コネクタ１を回路基板Ｂ上に実装した状態で、ガイドレール２２，２３間のカード受容スロット２４に、板厚の薄いスマートカードＣ２を挿入すると、スマートカードＣ２はスマートカードコネクタ部２０に受容され、スートカードＣ２の下面に形成された端子部が複数対の板ばねコンタクト２１に接触し、電気的に接続される。
以上、本発明の実施形態について説明してきたが、本発明はこれに限定されず、種々の変更を行うことができる。
【００２７】
例えば、板厚薄カード挿入防止装置５０は、ガイド用アーム部１３側に設けたが、その反対側のガイド用アーム部１２側に設けてもよく、あるいは、双方のガイド用アーム部１２，１３に設けてもよい。
また、カード挿入防止装置本体５１を内側へ付勢するばねは、トーションばねの代わりに、板ばね、コイルばね等であってもよい。さらに、ストッパ５８は、カム面５３以外の面に当接する位置に配置してもよい。
【００２８】
また、適用されるカードは、ＰＣＭＣＩＡ規格のＩＣカードＣ１やＩＳＯ規格のスマートカードＣ２以外であってもよい。
さらに、板厚の厚いＩＣカードＣ１を受容するカード受容スロット１４を下側にし、板厚の薄いスマートカードＣ２を受容するカード受容スロット２４を上側にしてもよい。また、カード受容スロットは２個に限らず、３個以上であってもよい。
【００２９】
【発明の効果】
以上説明したように、本発明のうち請求項１に係るカード用コネクタによれば、板厚の厚いカードを受容するカード受容スロットのカード案内部に、板厚の厚いカード用のカム面と、板厚の薄いカードを受容可能な溝と、溝の奥側に形成された板厚の薄いカード用の挿入阻止面とを一体的に有する板厚薄カード挿入防止装置を回動可能に軸支すると共に、板厚の厚いカードを受容するカード受容スロットへ前記板厚薄カード挿入防止装置をばね付勢したので、板厚の薄いカードと板厚の厚いカードとを受容する少なくとも２個のカード受容スロットを有するカード用コネクタにおいて、低背且つ簡単な構成で、板厚の厚いカードを受容するカード受容スロットの奥に、板厚の薄いカードが挿入されるのを確実に防止することができる。
【００３０】
また、本発明のうち請求項２に係るカード用コネクタによれば、請求項１記載の発明において、前記板厚薄カード挿入防止装置の溝に、前記板厚の薄いカードの受容を案内する案内傾斜面を設けたので、板厚の薄いカードの挿入がカード受容スロット内で安定しないでなされたとしても、板厚の薄いカードを案内傾斜面に沿って案内し溝内に確実に導くことができる。
【図面の簡単な説明】
【図１】本発明に係るカード用コネクタの実施形態の平面図である。
【図２】図１に示すカード用コネクタの正面図である。
【図３】図１に示すカード用コネクタを示し、（Ａ）は右側面図、（Ｂ）は左側面図である。
【図４】カード挿入防止装置本体を示し、（Ａ）は平面図、（Ｂ）は正面図、（Ｃ）は左側面図である。
【図５】板厚薄カード挿入防止装置の作動状態を説明するもので、（Ａ）は板厚の厚いＩＣカードＣ１を挿入したときの板厚薄カード挿入防止装置の作動状態を示す一部分を断面した平面図、（Ｂ）は板厚の薄いスマートカードを挿入したときの板厚薄カード挿入防止装置の作動状態を示す一部分を断面した平面図である。
【図６】ＩＳＯ規格のスマートカードを示し、（Ａ）は平面図、（Ｂ）は側面図である。
【図７】ＰＣＭＣＩＡ規格のＩＣカードのタイプＩを示す斜視図である。
【図８】従来のＩＣカードソケットを示し、（Ａ）は厚みの厚いＩＣカードを挿入した場合の動作を説明するための断面図、（Ｂ）は厚みの薄いスマートカードを挿入した場合の動作を説明するための断面図である。
【図９】従来のＩＣカートリッジリーダーを示し、（Ａ）は適正ＩＣカートリッジを挿入した場合の動作を説明するための断面図、（Ｂ）は不適正なＩＣカートリッジを挿入した場合の動作を説明するための断面図である。
【符号の説明】
１  カード用コネクタ
Ｃ１  ＩＣカード（板厚の厚いカード）
Ｃ２  スマートカード（板厚の薄いカード）
１４  カード受容スロット（板厚の厚いカードを受容）
１４ａ  カード案内部
２４  カード受容スロット（板厚の薄いカードを受容）
５３  カム面
５２  溝
５０  板厚薄カード挿入防止装置
５４  案内傾斜面
【図１】
0003824147.tif 000002
【図２】
0003824147.tif 000003
【図３】
0003824147.tif 000004
【図４】
0003824147.tif 000005
【図５】
0003824147.tif 000006
【図６】
0003824147.tif 000007
【図７】
0003824147.tif 000008
【図８】
0003824147.tif 000009
【図９】
0003824147.tif 000010